(57)【特許請求の範囲】
【請求項１】
山形部が所定間隔をおいて連続形成された折板屋根と、溝板支持部の幅方向両側に取付脚部が形成され，前記折板屋根の山形部頂部箇所に装着する支持具と、底面部の幅方向両側に立上り側部が形成されてなる溝板と、該溝板を前記溝板支持部上に固定する固定部材とからなり、前記山形部に固定された複数の支持具間に溝板が前記山形部の長手方向に直交するようにして配置され，且つ前記固定部材にて固定され、それぞれの溝板には栽培部が敷設され、前記固定部材は係止部を有する吊子とし、前記溝板は、一方側の立上り側部の外側に取付縁が形成され、他方側の立上り側部を断面ほぼ逆Ｕ字形状とし、前記吊子が前記取付縁とともに前記溝板支持部上に固着され、その立上り側部に次位の溝板の断面逆Ｕ字形状とした立上り側部が重合され且つ前記吊子の係止部に係止固着されてなることを特徴とする緑化屋根。
【請求項２】
幅方向両側に膨出する膨出部を有する山形部が所定間隔をおいて連続形成された折板屋根と、溝板支持部の幅方向両側に前記膨出部に嵌合する取付脚部が形成されてなる支持具と、底面部の幅方向両側に立上り側部が形成されてなる溝板と、該溝板を前記溝板支持部上に固定する固定部材とからなり、前記膨出部の長手方向に嵌合固定された複数の支持具間に溝板が前記山形部の長手方向に直交するようにして配置され，且つ前記固定部材にて固定され、それぞれの溝板には栽培部が敷設され、前記固定部材は係止部を有する吊子とし、前記溝板は、一方側の立上り側部の外側に取付縁が形成され、他方側の立上り側部を断面ほぼ逆Ｕ字形状とし、前記吊子が前記取付縁とともに前記溝板支持部上に固着され、その立上り側部に次位の溝板の断面逆Ｕ字形状とした立上り側部が重合され且つ前記吊子の係止部に係止固着されてなることを特徴とする緑化屋根。
【請求項３】
請求項１又は２において、前記折板屋根は、山形部の長手方向に沿って勾配を有するものであることを特徴とする緑化屋根。
【請求項４】
請求項１，２又は３において、前記溝板上に敷設された栽培部には、保護ネットが被覆されてなることを特徴とする緑化屋根。
【請求項５】
請求項１，２，３又は４において、前記溝板には、熱融着性を有する被覆シート部が貼着され、その隣接する溝板の連結箇所にて前記被覆シート部同士が熱融着により接続されてなることを特徴とする緑化屋根。
【発明の詳細な説明】
【０００１】
【発明の属する技術分野】
本発明は、折板屋根を緑化するものであり、前記折板屋根が新設，既設を問わず、極めて簡単且つ迅速に施工することができ、且つ極めて強固なる構造にすることができる緑化屋根に関する。
【０００２】
【従来の技術】
近年、屋根上面を利用して植物，作物等の栽培が行われる緑化屋根の施工が増えている。特に、屋根上は、日当たり，風通し等の栽培に好適な条件が揃っており、このようなことから栽培に適している。また、緑化屋根は単に屋根を鮮やかにするだけでなく、植物の炭酸同化作用等により環境にも極めて良い影響を与えるもので、近年その緑化屋根が多いに奨励されている。
【０００３】
このような緑化屋根は、その施工にはかなりの技術が必要であり、屋根が施工され、この金属屋根板上に種子入りのマット材や土を敷設するようにしたものが多く見受けられる。この種のものでは、栽培部のマット部が適度の吸水性，及び良好なる透水性，通気性を有したものが好ましい。
【０００４】
【発明が解決しようとする課題】
ところが、上述した緑化屋根のほとんどは、新設のものであり、従来の屋根を緑化して施工されるものではない。これは、緑化屋根の構造が複雑であり、また植物に適度の水分が必要であるため、その適度の水分を溜めることができる構造にしなくてはならない。
【０００５】
このように既設屋根を利用して緑化屋根に葺き代えることは、高度の施工技術を必要とし、簡単に施工することができるものではなかった。また、既設屋根を緑化して緑化屋根とすることは、新設の緑化屋根を施工する場合よりも施工が困難，且つ面倒であることが多い。本発明の目的は、既設又は新設を問わず多くの折板屋根に対して、これらを極めて簡易且つ迅速に緑化屋根に施工することができ、且つその構造も極めて強固にすることにある。
【０００６】
【課題を解決するための手段】
そこで、発明者は、上記課題を解決すべく、鋭意，研究を重ねた結果、本発明を、山形部が所定間隔をおいて連続形成された折板屋根と、溝板支持部の幅方向両側に取付脚部が形成され，前記折板屋根の山形部頂部箇所に装着する支持具と、底面部の幅方向両側に立上り側部が形成されてなる溝板と、該溝板を前記溝板支持部上に固定する固定部材とからなり、前記山形部に固定された複数の支持具間に溝板が前記山形部の長手方向に直交するようにして配置され，且つ前記固定部材にて固定され、それぞれの溝板には栽培部が敷設され、前記固定部材は係止部を有する吊子とし、前記溝板は、一方側の立上り側部の外側に取付縁が形成され、他方側の立上り側部を断面ほぼ逆Ｕ字形状とし、前記吊子が前記取付縁とともに前記溝板支持部上に固着され、その立上り側部に次位の溝板の断面逆Ｕ字形状とした立上り側部が重合され且つ前記吊子の係止部に係止固着されてなる緑化屋根としたことにより、前記折板屋根が新設，既設を問わず、極めて簡単且つ迅速に施工することができ、且つ極めて強固なる構造にすることができ、上記課題を解決したものである。
【０００７】
【発明の実施の形態】
以下、本発明を図面に基づいて説明する。まず、本発明の第１実施形態を図１乃至図７に基づいて説明する。第１実施形態では、に示すように、主に折板屋根Ａ，溝板３，支持具Ｂ，固定部材Ｃ、栽培部１５等から構成される。まず、折板屋根Ａは、既設或いは新設のいずれの場合も含まれる。その折板屋根Ａには、種々の種類が存在するが、いずれの場合であっても断面がほぼ台形山形状の山形部１と、平坦状の底部２とが存在する。
【０００８】
その折板屋根Ａは、図１乃至図３及び図１３に示すように、複数の折板屋根板Ａ1 ，Ａ1 ，…から構成されるものである。すなわち複数の折板屋根板Ａ1 ，Ａ1 ，…が並設され、それぞれ隣接する折板屋根板Ａ1 ，Ａ1 の山形部１，１同士が重合連結され折板屋根Ａが施工される。その山形部１の上方箇所には、膨出部１ａが形成されている。該膨出部１ａは、幅方向両側に膨出する被嵌合膨出条１ａ1 ，１ａ1 が形成されている。
【０００９】
該被嵌合膨出条１ａ1 ，１ａ1 の下端には、図１３に示すように、後述する支持具Ｂの取付脚部６，６が嵌合することができる嵌合隅角部１ａ11，１ａ11が形成されている。すなわち山形部１において、その膨出部１ａが嵌合隅角部１ａ11，１ａ11箇所が括れ状となっているものである。各被嵌合膨出条１ａ1 の断面形状は、ほぼ「く」字形状（「逆く」字形状も含む）に形成されている。そして、その膨出部１ａの裏面側が受金具１９によって嵌合固定される。また、折板屋根板Ａ1 の幅方向両側部分の山形部１，１は、共に半山形状に形成されている。
【００１０】
具体的には、折板屋根板Ａ1 の幅方向の一方側の山形部１の膨出部１ａの幅方向両側に被嵌合膨出条１ａ1 ，１ａ1 が形成され、他方側の膨出部１ａには幅方向の片側にのみ被嵌合膨出条１ａ1 が形成されている。そして、前述したように、その半山形状とした山形部１，１同士が重合される。その重合状態において、図１３（Ａ）に示すように、下側に位置する山形部１と上側に位置する山形部１のそれぞれの被嵌合膨出条１ａ1 ，１ａ1 同士が嵌合することにより、重合された山形部１，１同士は相互に固定される。このようにして、折板屋根板Ａ1 ，Ａ1 により構成された折板屋根Ａは、その山形部１が長手方向に沿って勾配を有することもある。この場合には、折板屋根Ａの傾斜する方向の上方を水上側と称し、傾斜する方向の下側を水下側と称する。
【００１１】
次に、第１実施形態における溝板３は、図１，図６，図７に示すように、底面部３ａの幅方向両側に立上り側部３ｂ，３ｂが形成されたものであり、該立上り側部３ｂ，３ｂは、前記底面部３ａに対してほぼ直角状に形成されている。また、前記立上り側部３ｂは、その頂部箇所に外方へ折返し部が形成されている。該溝板３は、図１に示すように、その長手方向すなわち幅方向に直交する方向が長尺に形成されている。
【００１２】
その溝板３は、具体的には、幅方向の寸法がほぼ４００mm程度で長さがほぼ４乃至５ｍ程度である。実際には、その幅方向の寸法が４１５mmに形成されている。しかし、溝板３は、これらの寸法に限定されるものではなく、使用される状況に応じて寸法は適宜設定されるものである。また、溝板３の底面部３ａ及び立上り側部３ｂ，３ｂには、被覆シート部３ｒが貼着され、ほぼ樹脂コーティング状態に形成されることもある。この被覆シート部３ｒは、後述するが熱融着可能な素材からなるものである。また、この溝板３は、前記折板屋根Ａに対して、後述する支持具Ｂにより固定される。また、前記立上り側部３ｂには、その長手方向に沿って多数の排水孔が形成されることもある。該排水孔は、溝板３内に溜まった水を排出するものであり、該溝板３内に水が溜まるの防止し、ひいては根腐れ等を防止するものである。この溝板３は、その表面に後述する被覆シート部３ｒが貼着されることもある。
【００１３】
次に、支持具Ｂは、金属材からなり、図１，図５に示すように、溝板支持部５と取付脚部６，６とから構成されている。前記溝板支持部５は、平坦状に形成され、前記溝板３の底面部３ａの幅方向端部箇所が安定した状態で載置される。さらに、前記溝板支持部５の前後方向両側箇所には、ガイド爪片５ａ，５ａが形成されている。該ガイド爪片５ａ，５ａは、溝板支持部５の前後方向端縁箇所を部分的に切除し、正面より見てほぼ「ハ」字形状となるように、鞍状に折り曲げられたものである。そして、両ガイド爪片５ａ，５ａにて前記山形部１の膨出部１ａの頂部箇所を抱持しつつ、前記ガイド爪片５ａ，５ａが跨ぐようにして設置される。
【００１４】
前記取付脚部６，６は、前記溝板支持部５の幅方向両側から内方下向きに傾斜状に形成され、両取付脚部６，６の下端には、嵌合屈曲端縁６ａ，６ａが形成されている。該嵌合屈曲端縁６ａ，６ａは、内方に突出するように、断面ほぼ「く」字形状（「逆く」字形状も含む）に形成されている。そして、その嵌合屈曲端縁６ａ，６ａが、図３，図４に示すように、前記山形部１の両被嵌合膨出条１ａ1 ，１ａ1 の下端に形成された嵌合隅角部１ａ11，１ａ11に食い込むように嵌合し、支持具Ｂが山形部１の頂面箇所に固着される。このとき、両取付脚部６，６の弾性力により、嵌合屈曲端縁６ａ，６ａは被嵌合膨出条１ａ1 ，１ａ1 の嵌合隅角部１ａ11，１ａ11に押圧力を有して強固に固定されるものである。
【００１５】
次に、固定部材Ｃは、図５（Ａ）に示すように、前記支持具Ｂの溝板支持部５上に前記溝板３を固定する部材である。その固定部材Ｃは、固定用螺子部材９と連結部材１０とから構成され、その固定用螺子部材９は、前記溝板支持部５上に植設されている。すなわち、前記溝板支持部５上にほぼ垂直状に固着される。前記固定用螺子部材９は、螺子軸９ａ及びナット等の締付具９ｂから構成されるものである。その螺子軸９ａは、前記溝板支持部５に対して、溶接，圧入，カシメ等の種々の固着手段により固着されるものである。
【００１６】
また、前記螺子軸９ａが支持具Ｂに固着されず、別材として分離したものであれば、ボルト等が使用されることもある。前記連結部材１０は、図５，図６に示すように、断面ほぼハット形状に形成されたもので、図４に示すように、隣接する前記溝板３，３同士を前記支持具Ｂの溝板支持部５上で連結する役目をなす部材である。具体的には、断面ほぼ門形状とした連結部１０ａと底面部押え部１０ｂ，１０ｂとからなり、前記連結部１０ａは、上面１０ａ1 の幅方向両側から側片１０ａ2 ，１０ａ2 が形成されている。
【００１７】
その両側片１０ａ2 ，１０ａ2 の下端から外方に向けて平坦且つ水平状の底面部押え部１０ｂ，１０ｂが形成されている。該底面部押え部１０ｂ，１０ｂは、後述するように、前記溝板３の底面部３ａの幅方向端部箇所を前記支持具Ｂの溝板支持部５に押さえ付ける役目をなすものである。この連結部材１０は、長手方向に長尺物であり、前記溝板３の長手方向に対してその長さがほぼ等しく形成される。前記上面１０ａ1 には、その長手方向に沿って複数の貫通孔１０ａ3 ，１０ａ3 ，…が形成されている。各貫通孔１０ａ3 は、支持具Ｂの前記固定用螺子部材９が貫通する部位である。そして、前記連結部材１０は、図５に示すように、その貫通孔１０ａ3 に前記支持具Ｂの固定用螺子部材９の螺子軸９ａが貫通し、固定用のナット等の締付具９ｂにて締め付けられ、図４に示すように、前記支持具Ｂの溝板支持部５上に固定される。
【００１８】
次に、マット押え部材１１は、図２に示すように、押え板部１１ａに貫通孔１１ｂが形成されたものである。前記押え板部１１ａは、具体的には、円板状をなし、その一側面で溝板３に載置された栽培部１５を押さえつけるようにして、固定するものである。そして、前記マット押え部材１１は、前記栽培部１５を被覆する保護ネット１６を固定する役目もなしている。具体的には、前記固定用螺子部材９の螺子軸９ａを保護ネット１６に通過させ、前記マット押え部材１１を装着し、保護ネット１６を栽培部１５上に被覆するものである。
【００１９】
次に、栽培層を構成する栽培部１５において植栽マット材としたものでは、繊維質の材質から構成され、平面的に見て略正方形或いは長方形の偏平布団状に形成されたものであり、植物が成長して行くものである。また、栽培部１５は、繊維質以外のもので木質のものや石質のものであっても構わない。また、前記溝板３に配列された栽培部１５，１５，…には、保護ネット１６が被覆状に被せられることもある。該保護ネット１６は、繊維質から形成されたものや、ナイロン等の合成樹脂や、或いは金属製のものであってもよい。また、散水管１８は、その長手方向に沿って多数の散水孔が形成され、栽培部１５に適当な量の水を与えるものである。
【００２０】
次に、第１実施形態の施工について図６，図７に基づいて説明する。まず、図６（Ａ）に示すように、折板屋根Ａを構成する複数の折板屋根板Ａ1 ，Ａ1 ，…の山形部１の頂部に支持具Ｂが装着される。該支持具Ｂは、その取付脚部６，６を前記山形部１の膨出部１ａ上に被せて、その支持具Ｂを押さえ付けるようにして嵌合屈曲端縁６ａ，６ａを膨出部１ａの両被嵌合膨出条１ａ1 ，１ａ1 に嵌合させる。そして、山形部１の長手方向に沿って複数の支持具Ｂ，Ｂ，…が所定間隔をおいて装着されてゆく。
【００２１】
次に、支持具Ｂ，Ｂ間に溝板３が載置される。次に、図６（Ｂ）に示すようにそれぞれの支持具Ｂの溝板支持部５上で隣接する溝板３，３の対向する立上り側部３ｂ，３ｂを跨ぐようにして連結部材１０が配置される。前記溝板支持部５上に植設された固定用螺子部材９の螺子軸９ａとナット等の締付具９ｂにて固着される。次に、前記各溝板３，３，…には、図７（Ａ）に示すように、栽培部１５，１５，…が敷設されてゆく。次に、前記マット押え部材１１の押え板部１１ａにて前記溝板３に敷設された栽培部１５，１５，…を押さえるとともに、そのマット押え部材１１は、図７（Ｂ）に示すように、前記支持具Ｂの固定用螺子部材９の螺子軸９ａにナット等の締付具９ｂで固着され、そのマット押え部材１１により栽培部１５の端部が押さえ付けられるものである。
【００２２】
さらに、前記溝板３に敷設された栽培部１５，１５，…は、保護ネット１６により被覆される。この保護ネット１６は、図２，図３（Ｂ）に示すように、前記マット押え部材１１により装着される。また、栽培部１５，１５，…には、散水管１８が配置され、該散水管１８から栽培部１５，１５，…に水分又は栄養分を供給することができる。上記溝板３に配置される栽培部１５は、植栽マット材，人工マット材等が好適であるが、その溝板３に土を直接入れてもよい。特に土を溝板３に直接、入れる場合には、土が雨や風等にて流されないように、ある程度固めるようにすることが好ましい。
【００２３】
次に、本発明の第２実施形態について、図７乃至図１２に基づいて説明する。ここで、第２実施形態における折板屋根Ａは、第１実施形態における折板屋根Ａと同等構造であり、その説明は第１実施形態にて説明しているので、ここでは省略する。この第２実施形態における溝板３は、図１２（Ａ），（Ｂ），（Ｃ）に示すように、平坦状の底面部３ａの幅方向両側端に立上り側部３ｂ，３ｂが形成されている。ここで、第２実施の形態において、両立上り側部３ｂ，３ｂは、その溝板３の幅方向の一方側に形成される立上り側部３ｂを「一方側の立上り側部３ｂ」と称する。また、前記一方側の立上り側部３ｂと反対側に位置する立上り側部３ｂを「他方側の立上り側部３ｂ」と称する。なお、両立上り側部３ｂ，３ｂを一方側と他方側と称するのは、両立上り側部３ｂ，３ｂを任意に区別するために与えられた名称であり、この一方側と他方側とを入れ代えて定義してもかまわない。
【００２４】
特に、前記折板屋根Ａが棟側から軒先に傾斜角度θの勾配を有する場合には、折板屋根Ａに装着される溝板３において、一方側の立上り側部３ｂは、傾斜上方における、水上側の立上り側部３ｂとなり、また他方側の立上り側部３ｂは、傾斜下方における水下側の立上り側部３ｂとなる。またここで、溝板３における水下側と水上側については、勾配の傾斜方向における下方側を水下側とし、傾斜方向上方側を水上側とする。
【００２５】
したがって、前記水上側の立上り側部３ｂは、溝板３の水上側に形成され、水下側の立上り側部３ｂは、溝板３の水下側に形成されるものである。その水下側の立上り側部３ｂ及び水上側の立上り側部３ｂは、前記底面部３ａに対して略直角であり、その上下方向の頂部箇所が折返し頂部となっている。また、水下側の立上り側部３ｂは、図１２（Ｂ）に示すように、その断面形状が略逆Ｕ字形状に形成されている。また、図１２（Ｃ）に示すように、前記水上側の立上り側部３ｂは、略密着状とした略逆Ｕ字形状の折畳み状に形成されたものである。
【００２６】
さらに、前記水下側の立上り側部３ｂの外端縁には水平縁３ｂ1 が形成されており、水上側の立上り側部３ｂの外端縁には取付縁３ｂ2 が外方に向かって形成されている。まず前記水平縁３ｂ1 は、前記水下側の立上り側部３ｂの外端から略直角状で、前記底面部３ａとは略同一面となるようにして形成されている。さらに、水下側の水平縁３ｂ1 の外端箇所は、下方に向かって僅かな傾斜角度とした、屈曲端縁３ｂ11が形成されることもある。前記水上側の立上り側部３ｂは、水下側の立上り側部３ｂよりも低く形成される。具体的には、水上側の立上り側部３ｂは、水下側の立上り側部３ｂに対してその高さの略半分程度に形成されている。
【００２７】
次に、前記取付縁３ｂ2 は、前記水上側の立上り側部３ｂの外端縁から、該水上側の立上り側部３ｂに略直角となるように外方に向かって形成されたものである。前記取付縁３ｂ2 は、前記底面部３ａを形成する板材が適宜に折り返されることにより形成されるものであり、具体的には、前記底面部３ａの幅方向端部箇所が一旦、上面側に折り返され、さらにその折り返された部分の内方側がほぼ直角に屈曲され、その屈曲部分の上端が外方に折り返されて立上り側部３ｂ及び取付縁３ｂ2 が形成されることになる。
【００２８】
さらに、溝板３の幅方向略中央箇所には、中央立上り側部３ｃが形成されることもある。該中央立上り側部３ｃは、前記一方側（水下側）の立上り側部３ｂと他方側（水上側）の立上り側部３ｂとの間に位置するもので、前記水下側の立上り側部３ｂと略同一高さに形成され、且つその断面形状は略逆Ｕ字形状に形成されている。これによって、一つの溝板３のみで、２以上の立上り側部３ｂ，３ｂ，…を有することとなり、該立上り側部３ｂ，３ｂ，…により区画される箇所が多くなり、栽培部１５，１５，…を安定した状態で支持することができ、緑化屋根の施工効率を格段と向上させることができ、良質な緑化屋根とすることができる。
【００２９】
次に、第２実施形態における固定部材Ｃは、図１０（Ｂ），図１２（Ｄ）に示すように、吊子１２と固着具１３とからなる。該吊子１２は、取付部１２ａと係止部１２ｂとからなり、取付部１２ａと係止部１２ｂとで断面略「Ｌ」字形状に形成されている。その取付部１２ａは取付基部１２ａ1 及び垂直状部１２ａ2 とから構成されている。その取付基部１２ａ1 は、略平板状をなし、前記溝板３の取付縁３ｂ2 上に配置される。その取付基部１２ａ1 には、ドリルビス，リベット等の固着具１３用の貫通孔１２ａ3 が穿孔されることもある。また、固着具１３は、その頭部が偏平円板形状であることが好適である。
【００３０】
前記垂直状部１２ａ2 は、前記取付基部１２ａ1 から略直角に立上り形成されたものである。該垂直状部１２ａ2 の上端に係止部１２ｂが形成されている。該係止部１２ｂは、略管状に形成されたものであり、具体的には、前記垂直状部１２ａ2 の上端箇所が断面略円形状に屈曲形成されたものである。また、係止部１２ｂは、前記垂直状部１２ａ2 とは別部材として管部材を溶接手段等により固着したものであってもかまわない。その係止部１２ｂは、前記溝板３の水下側の立上り側部３ｂ及び中央立上り側部３ｃが係止される部位である。
【００３１】
次に、ジョイント部材１４は、図８（Ｂ），図１１に示すように、二つの主挟持部１４ａ，副挟持部１４ｂ及び締付具１４ｃとから構成されたものである。その一対の主挟持部１４ａ，副挟持部１４ｂが前記水下側の立上り側部３ｂ及び中央立上り側部３ｃの頂部箇所に装着されるものである。主挟持部１４ａ，副挟持部１４ｂの下端は、それぞれ断面略円弧状とした挟持端縁１４ａ1 ，挟持端縁１４ｂ1 が形成されている。
【００３２】
そして、前記主挟持部１４ａの上方には断面略逆Ｊ字形状のフック部１４ａ2 が形成されている。該フック部１４ａ2 は、図８（Ａ），（Ｂ）に示すように、保護ネット１６を係止する役目をなす。その主挟持部１４ａと副挟持部１４ｂとの挟持端縁１４ａ1 ，挟持端縁１４ｂ1 により前記水下側の立上り側部３ｂ及び中央立上り側部３ｃの頂部箇所を挟持する状態にして配置され、両主挟持部１４ａと副挟持部１４ｂとが前記締付具１４ｃにより固定される。具体的には、前記主挟持部１４ａと副挟持部１４ｂとにそれぞれ貫通孔１４ｄ，１４ｄが形成され、該貫通孔１４ｄ，１４ｄにボルト・ナット等からなる締付具１４ｃにより締め付けられ、ジョイント部材１４が各立上り側部３ｂ，３ｂ，…上に固定されるものである。
【００３３】
次に、第２実施形態の緑化屋根の施工について図１０に基づいて述べる。まず、支持具Ｂの折板屋根Ａへの装着は、前述の第１実施形態と同様に、折板屋根Ａの膨出部１ａの被嵌合膨出条１ａ1 ，１ａ1 に支持具Ｂの取付脚部６，６が嵌合されることにより、支持具Ｂが折板屋根Ａの膨出部１ａに固定される。このようにして複数の支持具Ｂ，Ｂ，…が山形部１の長手方向に沿って所定間隔をおいて装着される。次に、隣接する支持具Ｂ，Ｂ間に溝板３が配置される。
【００３４】
まず、溝板３の他方側の立上り側部３ｂ（水下側の立上り側部３ｂ）が折板屋根Ａの水下側に位置し、溝板３の一方側の立上り側部３ｂ（水上側の立上り側部３ｂ）が折板屋根Ａの水上側に位置する。その溝板３の取付縁３ｂ2 上に吊子１２の取付基部１２ａ1 が載置され、ドリルビス，リベット等の固着具１３を介して折板屋根Ａに固着される。このとき、前記吊子１２の垂直状部１２ａ2 は、前記一方側の立上り側部３ｂと略密着又は近接状態となる〔図１０（Ａ），（Ｂ）参照〕。また、前記係止部１２ｂは、前記水上側の立上り側部３ｂの上端より上方に位置することになる。また、前記固着具１３は、折板屋根Ａを貫通又は当接しないようにする。ここで、上記括弧内の文字は、折板屋根Ａに勾配が設けられている場合の位置関係を示している。
【００３５】
次に、前記一方側の立上り側部３ｂの上方から次位の溝板３の断面ほぼＵ字形状の立上り側部３ｂが被せられ重合される〔図１０（Ｃ）参照〕。このときには、断面ほぼＵ字形状の立上り側部３ｂの両片が、前記一方側の立上り側部３ｂと，吊子１２の垂直状部１２ａ2 とを挟持する構成となる。そして、前記他方側の立上り側部３ｂの頂部箇所の裏面が前記係止部１２ｂに当接した状態で、前記他方側の立上り側部３ｂの頂部箇所を、前記係止部１２ｂの外周形状に沿って略同一形状となるようにして締め付けて係止するものである〔図１０（Ｄ）参照〕。さらに、隣接する次位の溝板３の水平縁３ｂ1 は、前位の溝板３の底面部３ａに当接し、さらに屈曲端縁が底面部３ａに押圧状態となり、溝板３，３同士の連結を良好にしている。
【００３６】
このようにすることで、他方側の立上り側部３ｂの頂部箇所は長手方向に沿って前記係止部１２ｂの範囲において、管形状に形成されることになる。また、中央立上り側部３ｃにおいては、前記吊子１２の取付基部１２ａ1 が支持具Ｂの溝板支持部５上にドリルビス，リベット等の固着具１３或いは溶接手段等にて直接固着され、前記他方側の立上り側部３ｂと同様に中央立上り側部３ｃの頂部箇所が係止部１２ｂに締め付けられて係止されるものである。これを順次繰り返して屋根が形成される。上記溝板３の一方側，他方側の立上り側部３ｂ，３ｂ及び中央立上り側部３ｃ等は、折板屋根Ａの水下側から水上側に向かって、略等間隔となるように配置され、且つ立上り側部３ｂ，３ｂ，…は、折板屋根Ａの山形部１の長手方向に対して直交（略直交も含む）する構造となる。その立上り側部３ｂ，３ｂ間の底面部３ａ上に前記栽培部１５が配置されてゆく。
【００３７】
これによって、折板屋根Ａ上に配置された溝板３，３，…は、各立上り側部３ｂ，３ｂ，…により適正量の水分を確保するとともに、前記栽培部１５に常時水を供給することができる。次に、前記立上り側部３ｂ，３ｂ，…の頂部箇所には、図８（Ｂ），図１１等に示すように、ジョイント部材１４，１４，…が装着され、該ジョイント部材１４を介して、保護ネット１６が前記栽培部１５を被覆して保護する。
【００３８】
なお、前記溝板３は、図１２（Ａ），（Ｂ），（Ｃ）に示すように、金属薄板材に熱融着可能な合成樹脂からなる被覆シート部３ｒが被覆されることもある。その被覆シート部３ｒは、前述したように、合成樹脂からなるものであり、その材質としては例えば、オレフィン系熱可塑性エラストマー等を主成分とした合成樹脂等である。その厚さは、０．１mm乃至１mmの範囲であり、さらに好ましくは０．２mm程度とすることが多い。
【００３９】
さらに、被覆シート部３ｒは、耐久性のあるものが好適である。また、溶融する温度の設定も材質により種々異なるが、建設用材Ａの使用条件に適応するように設定されることが好ましい。また、被覆シート部３ｒは、紫外線又は汚染空気に対して強いもので耐候性に優れた材質であり、且つ破断，膨れ或いはひび割れ等が起きにくい性質のものが好ましい。上記の条件を満たす具体的な材質として好適なるものには、エチレンプロピレンを主成分とした合成高分子ゴム材等が存在する。
【００４０】
上記実施形態の溝板３，３同士において立上り側部３ｂ，３ｂ同士の重合箇所では、上方側に位置する取付縁３ｂ2 と下方に位置する底面部３ａのシート部同士が熱融着又は樹脂溶接されて、水密的な接合が行われるものであり、さらに防水性を高めることができる。また、両立上り側部３ｂ，３ｂ同士の樹脂溶接接合において、接合シート材２０が使用され、該接合シート材２０を両立上り側部３ｂ，３ｂ間に配置し、その接合シート材２０をそれぞれの被覆シート部３ｒに熱融着することもある。
【００４１】
本発明では上述したように、溝板３の底面部３ａに適宜の間隔をおいて複数の立上り側部３ｂ，３ｂ，…が平行状に形成され、傾斜角度θとして勾配を有する。前記立上り側部３ｂ，３ｂ，…の長手方向は前記折板屋根Ａの傾斜方向（又は山形部１の長手方向）に対して略直交するものとし、前記底面部３ａには栽培部１５が配置されることにより、屋根上面にて種々の植物，作物等の栽培を行うことができ、植物に補給するための水分を十分に確保することができ、且つ維持，管理も簡単にできるものである。
【００４２】
なお、前記折板屋根Ａにおいては、上述したように、隣接する折板屋根板Ａ1 ，Ａ1 の膨出部１ａ，１ａ同士を嵌合させて、折板屋根板Ａ1 ，Ａ1 を連結して折板屋根Ａを施工するタイプの他に、種々のタイプの折板屋根Ａが存在する。その折板屋根Ａは、折板屋根板Ａ1 ，Ａ1 同士の連結を馳締によって行う馳締タイプのものであって、図１４（Ａ），図１５（Ａ）等に示すように、折板屋根Ａが馳締タイプとしたものに適用されるものである。
【００４３】
馳締タイプとした折板屋根板Ａ1 は、図１６（Ｂ）に示すように、幅方向の一端側の山形部１の頂部には、下馳部１ｂが形成され、他方の山形部１の頂部には上馳部１ｃが形成されている。そして、図１５（Ａ）に示すように、幅方向に隣接する折板屋根板Ａ1 ，Ａ1 の対向する下馳部１ｂと上馳部１ｃとが受金具１９に装着された折板用吊子２１とともに、馳折り状態で連結されるものである。図示された下馳部１ｂ及び上馳部１ｃは、丸馳形状であるが、その他に角馳形状のものも存在する。
【００４４】
また、この馳締めタイプの折板屋根Ａに適応する支持具Ｂは、図４乃至図６等に示すように、前述したように溝板支持部５と取付脚部６，６とから構成されているものであるが、取付脚部６，６は、ほぼ平行に形成され、いずれか一方の取付脚部６の下端から内方上向きの傾斜状に係止屈曲片６ｂが形成されている。また、他方側の取付脚部６には、螺子孔６ｃが形成され、該螺子孔６ｃに螺合するビス，ボルト等の締付用螺子８が装着されている。前記溝板支持部５には固定用螺子部材９の螺子軸９ａが植設、すなわち前記溝板支持部５上にほぼ垂直状に固着される。
【００４５】
その両取付脚部６，６が前記折板屋根Ａの下馳部１ｂと上馳部１ｃとの馳締連結部を挟持するようにして、山形部１の頂部に載置される。そして、図１５（Ａ）に示すように、支持具Ｂ側から前記取付脚部６に装着された締付用螺子８が締め付けられることにより、係止屈曲片６ｂ先端と締付用螺子８先端とで馳締連結部への下部付根付近が挟持状態に固着されるものである。また、前記取付脚部６，６の下端は、山形部１の頂部平坦面に当接する状態となって安定させることができる。その支持具Ｂの溝板支持部５上への溝板３，栽培部１５，１５，…，等の緑化屋根を構成する部材の取付は、図１５（Ｂ），図１６（Ａ）に示すように、前述した第１，第２実施形態とほぼ同様の構造となる。また馳締タイプの折板屋根板Ａ1 にも被覆シート部３ｒが貼着されることもある。
【００４６】
次に、折板屋根Ａの別のタイプとしては、図１７（Ａ），図１８（Ｂ）に示すように、折板屋根板Ａ1 とキャップ材１ｅとから構成される嵌合キャップタイプとしたものである。嵌合キャップタイプとした折板屋根板Ａ1 は、図１９（Ｂ）に示すように、幅方向両側の山形部１は、半山形に形成され、それぞれの山形部１の頂部には被嵌合屈曲部１ｄが形成されている。そして、隣接する折板屋根板Ａ1 ，Ａ1 の対向する両被嵌合屈曲部１ｄ，１ｄにキャップ材１ｅが嵌合状態で被せられるものである。
【００４７】
そのキャップ材１ｅは、図１８（Ａ），図１９（Ｂ）に示すように、冠状部１ｅ1 と嵌合屈曲片１ｅ2 ，１ｅ2 から構成されており、該嵌合屈曲片１ｅ2 ，１ｅ2 が形成され、該嵌合屈曲片１ｅ2 ，１ｅ2 は前記被嵌合屈曲部１ｄ，１ｄに嵌合するようになっている。また、両折板屋根板Ａ1 ，Ａ1 ，…の対向する被嵌合屈曲部１ｄ，１ｄ間には、折板用吊子２１が受金具１９とともに設置されている。
【００４８】
このタイプの折板屋根Ａに適応する支持具Ｂは、図１７（Ｂ），図１８（Ａ）等に示すように、その両取付脚部６，６に、該両取付脚部６，６が相互に近接するように押圧する締付用螺子８が装着されたものである。また両取付脚部６，６の下端には、それぞれ嵌合突片６ｄ，６ｄが形成されている。そして、前記締付用螺子８を締め付けることにより、嵌合突片６ｄ，６ｄがキャップ材１ｅの嵌合屈曲片１ｅ2 ，１ｅ2 に嵌合状態で固定するものである。この支持具Ｂの溝板支持部５上への溝板３，栽培部１５，１５，…，等の緑化屋根を構成する部材の取付は、図１８（Ｂ），図１９（Ａ）に示すように、前述した第１，第２実施形態とほぼ同様の構造となる。また嵌合キャップタイプの折板屋根板Ａ1 及びキャップ材１ｅにも被覆シート部３ｒが貼着されることもある。
【００４９】
なお、本発明の緑化屋根は、その折板屋根Ａの代わりとして、図２０（Ａ）に示すように、瓦棒葺屋根Ｄへも応用することができる。その瓦棒葺屋根Ｄは、瓦棒屋根板材２２，瓦棒キャップ材２３及び瓦棒吊子２４から構成されている。その瓦棒屋根板材２２は、主板２２ａの幅方向両側に立上片２２ｂ，２２ｂが形成されている。そして、隣接する瓦棒屋根板材２２，２２間に瓦棒吊子２４が配置され、該瓦棒吊子２４箇所に瓦棒キャップ材２３が被せられ、その対向する両立上片２２ｂ，２２ｂと瓦棒キャップ材２３の幅方向両側箇所とが馳締め状態で固着されている。
【００５０】
この瓦棒葺屋根Ｄに適応する支持具Ｂは、図２０（Ａ），（Ｂ）に示すように、溝板支持部５の幅方向両側に取付脚部６，６が形成されたものであるが、該両取付脚部６，６が締付用螺子８にて相互に近接するようになっている。また、支持具Ｂには、安定部材２５が装着されている。該安定部材２５は、支持具Ｂが瓦棒部に対して安定した装着状態を維持する役目をなすもので、板状体のものであり、その幅方向両側箇所が瓦棒部の幅方向両側に形成された両馳締部上に載置されるようになっておいる。その安定部材２５は前記締付用螺子８に可動自在に連結されている。この支持具Ｂの溝板支持部５上への溝板３，栽培部１５，１５，…，等の緑化屋根を構成する部材の取付は、図２０（Ｂ），図２１に示すように、前述した第１，第２実施形態とほぼ同様の構造となる。
【００５１】
【発明の効果】
請求項１の発明は、山形部１が所定間隔をおいて連続形成された折板屋根Ａと、溝板支持部５の幅方向両側に取付脚部６が形成され，前記折板屋根Ａの山形部１頂部箇所に装着する支持具Ｂと、底面部３ａの幅方向両側に立上り側部３ｂが形成されてなる溝板３と、該溝板３を前記溝板支持部５上に固定する固定部材Ｃとからなり、前記山形部１に固定された複数の支持具Ｂ間に溝板３が前記山形部１の長手方向に直交するようにして配置され，且つ前記固定部材Ｃにて固定され、それぞれの溝板３には栽培部１５が敷設され、前記固定部材Ｃは係止部を有する吊子１２とし、前記溝板３は、一方側の立上り側部３ｂの外側に取付縁３ｂ２が形成され、他方側の立上り側部３ｂを断面ほぼ逆Ｕ字形状とし、前記吊子１２が前記取付縁３ｂ２とともに前記溝板支持部５上に固着され、その立上り側部３ｂに次位の溝板３の断面逆Ｕ字形状とした立上り側部３ｂが重合され且つ前記吊子１２の係止部１２ｂに係止固着されてなる緑化屋根としたことにより、前記折板屋根が新設，既設を問わず、緑化することができ、且つ極めて強固な構造にすることができる等の効果を奏する。
【００５２】
上記効果を詳述すると、折板屋根Ａの山形部１の長手方向と溝板３の長手方向とがほぼ直交するようにして緑化屋根が構成されるのである。それゆえに、その折板屋根Ａが既設又は新設を問わず、簡易に緑化屋根を施工することができる。特に、既設屋根を緑化することは、従来では面倒であったが、比較的少ない構成部材と、簡単な施工にて緑化することができる。また本発明の緑化屋根は、前述したように、折板屋根Ａの山形部１の長手方向と溝板３の長手方向とがほぼ直交するように構成しているので構造的に強固なる２層タイプの屋根とすることができるものである。
【００５３】
さらに、前記固定部材Ｃは係止部１２ｂを有する吊子１２とし、前記溝板３は、一方側の立上り側部３ｂの外側に取付縁３ｂ2 が形成され、他方側の立上り部３ｂを断面ほぼ逆Ｕ字形状とし、前記吊子１２が前記取付縁３ｂ2 とともに前記溝板支持部５上に固着され、その立上り部３ｂに次位の溝板３の断面逆Ｕ字形状とした立上り側部３ｂが重合され且つ前記吊子１２の係止部１２ｂに係止固着されてなる緑化屋根としたことにより、特に防水性に優れた緑化屋根にすることができる。
【００５４】
上記効果を詳述すると、支持具Ｂ上で隣接する溝板３，３の連結構造は、溝板３の一方側の立上り側部３ｂ上に、隣接する次位の溝板３の他方側の断面逆Ｕ字形状とした立上り側部３ｂが被せられるようにして重合されるもので、水が溝板３の裏面側に漏れ出しにくい構造となっている。また、断面ほぼ逆Ｕ字形状に形成された立上り側部３ｂは、前記吊子１２の係止部１２ｂに被せるようにして、立上り側部３ｂの外側より係止部１２ｂ箇所を押圧することにより係止固定されるので、施工が簡単であり、また立上り側部３ｂに固定用の貫通孔等を穿孔することもなく、水漏れがほとんど生じない確実な仕上げ状態にすることができる利点もある。
【００５５】
請求項２の発明は、幅方向両側に膨出する膨出部１ａを有する山形部１が所定間隔をおいて連続形成された折板屋根Ａと、溝板支持部５の幅方向両側に前記膨出部１ａに嵌合する取付脚部６が形成されてなる支持具Ｂと、底面部３ａの幅方向両側に立上り側部３ｂが形成されてなる溝板３と、該溝板３を前記溝板支持部５上に固定する固定部材Ｃとからなり、前記膨出部の長手方向に嵌合固定された複数の支持具Ｂ間に溝板３が前記山形部１の長手方向に直交するようにして配置され，且つ前記固定部材Ｃにて固定され、それぞれの溝板３には栽培部１５が敷設され、前記固定部材Ｃは係止部を有する吊子１２とし、前記溝板３は、一方側の立上り側部３ｂの外側に取付縁３ｂ２が形成され、他方側の立上り側部３ｂを断面ほぼ逆Ｕ字形状とし、前記吊子１２が前記取付縁３ｂ２とともに前記溝板支持部５上に固着され、その立上り側部３ｂに次位の溝板３の断面逆Ｕ字形状とした立上り側部３ｂが重合され且つ前記吊子１２の係止部１２ｂに係止固着されてなる緑化屋根としたことにより、その折板屋根Ａが既設又は新設を問わず、その折板屋根Ａを極めて簡単且つ迅速に緑化屋根とすることができるし、緑化屋根化の施工において折板屋根Ａになんら加工する必要がなく、さらに折板屋根Ａに断熱性を有するものにできる等の効果を奏する。
【００５６】
上記効果を詳述すると、その折板屋根Ａは、幅方向両側に膨出する膨出部１ａを上方に有する複数の山形部１，１，…が所定間隔で連続形成されたものである。また支持具Ｂは、溝板支持部５の幅方向両側に取付脚部６，６が形成されたものであり、該取付脚部６，６を前記折板屋根Ａの膨出部１ａに嵌合することができるようになっている。
【００５７】
その支持具Ｂに溝板３を装着し、栽培部１５を配置するものであり、前記折板屋根Ａ上への溝板３の施工は、前述したように、支持具Ｂの取付脚部６，６を折板屋根Ａの膨出部１ａに嵌合するのみでよく、折板屋根Ａ側にはなんら加工することなく、溝板３を配置してゆくことができ、ひいては、極めて簡単に緑化屋根のベースを築くことができる。さらに、折板屋根Ａの上方に溝板３を介して緑化屋根のベースが施工されるので、折板屋根Ａと溝板３とともに、ほぼ２層状態に屋根とすることができ、をの折板屋根Ａと溝板３との間に空間が形成され、断熱性を有することができる。
【００５８】
請求項３の発明は、請求項１又は２において、前記折板屋根Ａは、山形部１の長手方向に沿って勾配を有するものである緑化屋根としたことにより、溝板３には幅方向に沿って勾配が設けられることになり、それぞれの溝板３，３，…の立上り側部３ｂ，３ｂ側寄りには適当な量の水を溜めることができ、栽培部１５に適正量の水分を与えることができるものである。また、立上り側部３ｂ，３ｂ側寄りには適当な量の水が溜めるもので、決して多めに水分が溜まることなく、栽培部１５の植設された植物が根腐れするようなことも防止できる。
【００５９】
請求項４の発明は、請求項１，２又は３において、前記溝板３上に敷設された栽培部１５には、保護ネット１６が被覆されてなる緑化屋根としたことにより、栽培部１５が保護ネット１６により保護され、強風や地震等により、溝板３からの位置ずれや、脱落等の損害を防止することができるものである。
【００６０】
請求項５の発明は、請求項１，２，３又は４において、前記溝板３には、熱融着性を有する被覆シート部３ｒが貼着され、その隣接する溝板３，３の連結箇所にて前記被覆シート部３ｒ，３ｒ同士が樹脂溶接されてなる緑化屋根としたことにより、隣接する溝板３，３同士の連結箇所を極めて水密性の高いものにできる。
【００６１】
また、前述の構成において、前記固定部材Ｃは、前記支持具Ｂ，Ｂ間に配置され、溝板支持部５上で対向する溝板３，３の立上り部３ｂ，３ｂを抱持する断面ほぼ門形状の連結部材１０と，該連結部材１０を前記溝板支持部５に固定する固定用螺子部材９とからなることにより、支持具Ｂの溝板支持部５上に隣接する溝板３，３，…を固定する作業を簡単且つ迅速に行うことができる。
【００６２】
すなわち、支持具Ｂ上で隣接する溝板３，３の対向する立上り側部３ｂ，３ｂを断面ほぼ門形状に形成した連結部材１０を被せるようにして抱持し、且つ支持具Ｂ上に植設された固定用螺子部材９を介して前記連結部材１０をナット等の締付具９ｂにて固定するのみで、隣接する溝板３，３を固定することができる。この施工では、支持具Ｂは折板屋根Ａの膨出部１ａに嵌合式で固着することができることにより、折板屋根Ａ側には何ら加工する必要がない。また、折板屋根Ａ上における溝板３，３，…の施工では、固定用螺子部材９に締付具９ｂを締め付けるのみで簡単且つ迅速にできるものである。
【００６３】
さらに、前述の構成において、前記溝板３上に配置された栽培部１５を前記固定用螺子部材９を介して押さえ付けるマット押え部材１１が設けられることによれば、極めて簡単なる構造にて栽培部１５を溝板３に固定することができるとともに、保護ネット１６の装着も極めて簡単且つ効率的にできる。
【００６４】
上記について、前記マット押え部材１１は、薄板状で前記固定用螺子部材９が貫通する貫通孔１１ｂが形成されたものであり、その貫通孔１１ｂに前記固定用螺子部材９の螺子軸９ａを貫通するようにしてマット押え部材１１を装着し、締付具９ｂにて締め付けることで、栽培部１５の端部箇所表面を押え付けることができる。さらに、そのマット押え部材１１の下面側で保護ネット１６を押さえ付けることで、該保護ネット１６の装着も同時にでき、作業効率も向上する。このように、栽培部１５が植栽マット材等の人工材である場合には、この栽培部１５，１５，…を押さえ付ける役目をなすものとしてマット押え部材１１は、極めて好適である。
【図面の簡単な説明】
【図１】  本発明の第１実施形態の斜視図
【図２】  （Ａ）は第１実施形態の要部拡大斜視図
（Ｂ）は（Ａ）の縦断側面図
【図３】  （Ａ）は第１実施形態の縦断正面略示図
（Ｂ）は（Ａ）の要部拡大図
【図４】  （Ａ）は第１実施形態における山形部の膨出部に支持具を装着した斜視図
（Ｂ）は支持具上に溝板及び連結部材を配置した斜視図
【図５】  （Ａ）は第１実施形態における固定部材の一部断面にした分解図
（Ｂ）は第１実施形態における支持具の斜視図
【図６】  （Ａ）は折板屋根上に支持具を介して溝板を配置する工程図
（Ｂ）は隣接する溝板間に連結部材を配置する工程図
【図７】  （Ａ）は溝板上に栽培部を配置する工程図
（Ｂ）は栽培部をマット押え部材にて固定する工程図
【図８】  （Ａ）は第２実施形態における斜視図
（Ｂ）は第２実施形態の要部拡大縦断側面図
【図９】  （Ａ）は第２実施形態における溝板を折板屋根上に装着した要部拡大斜視図
（Ｂ）は（Ａ）の要部縦断側面図
【図１０】  （Ａ）は支持具上に吊子を取り付ける状態の工程図
（Ｂ）は吊子上に溝板の立上り側部箇所を装着する工程図
（Ｃ）は吊子上に溝板の立上り側部箇所を装着完了した工程図
（Ｄ）は吊子上に溝板の立上り側部を締付完了した状態の工程図
【図１１】  第２実施形態における要部拡大斜視図
【図１２】  （Ａ）は第２実施形態における溝板の斜視図
（Ｂ）は（Ａ）の要部の拡大縦断正面図
（Ｃ）は（Ａ）の要部の拡大縦断正面図
（Ｄ）は吊子の斜視図
【図１３】  （Ａ）は折板屋根板の略示正面図
（Ｂ）は折板屋根板同士の連結箇所の拡大縦断正面図
【図１４】  （Ａ）は第１実施形態において折板屋根を馳締タイプとした縦断正面略示図
（Ｂ）は馳締タイプの折板屋根に支持具及び溝板を装着した状態の斜視図
【図１５】  （Ａ）は第１実施形態において折板屋根を馳締タイプとした要部拡大縦断正面図
（Ｂ）は（Ａ）の縦断側面図
【図１６】  （Ａ）は第２実施形態において折板屋根を馳締タイプとした要部拡大縦断側面図
（Ｂ）は馳締タイプとした折板屋根板の略示正面図
【図１７】  （Ａ）は第１実施形態において折板屋根を嵌合キャップタイプとした縦断正面略示図
（Ｂ）は嵌合キャップタイプの折板屋根に適応する支持具の斜視図
【図１８】  （Ａ）は第１実施形態において折板屋根を嵌合キャップタイプとした要部拡大縦断正面図
（Ｂ）は（Ａ）の縦断側面図
【図１９】  （Ａ）は第２実施形態において折板屋根を嵌合キャップタイプとした要部拡大縦断側面図
（Ｂ）は嵌合キャップタイプとした折板屋根板とキャップ材の略示正面図
【図２０】  （Ａ）は第１実施形態において折板屋根のかわりに瓦棒葺屋根とした要部拡大縦断正面図
（Ｂ）は瓦棒葺屋根に適応する支持具の斜視図
【図２１】  第２実施形態において折板屋根のかわりに瓦棒葺屋根とした要部拡大縦断側面図
【符号の説明】
Ａ…折板屋根
Ｂ…支持具
Ｃ…固定部材
１…山形部
１ａ…膨出部
３…溝板
３ａ…底面部
３ｂ…立上り側部
３ｂ2 …取付縁
３ｒ…被覆シート部
５…溝板支持部
６…取付脚部
９…固定用螺子部材
１０…連結部材
１１…マット押え部材
１２…吊子
１２ｂ…係止部
１５…栽培部
１６…保護ネット
【図１】
0004098557.tif 000002
【図２】
0004098557.tif 000003
【図３】
0004098557.tif 000004
【図４】
0004098557.tif 000005
【図５】
0004098557.tif 000006
【図６】
0004098557.tif 000007
【図７】
0004098557.tif 000008
【図８】
0004098557.tif 000009
【図９】
0004098557.tif 000010
【図１０】
0004098557.tif 000011
【図１１】
0004098557.tif 000012
【図１２】
0004098557.tif 000013
【図１３】
0004098557.tif 000014
【図１４】
0004098557.tif 000015
【図１５】
0004098557.tif 000016
【図１６】
0004098557.tif 000017
【図１７】
0004098557.tif 000018
【図１８】
0004098557.tif 000019
【図１９】
0004098557.tif 000020
【図２０】
0004098557.tif 000021
【図２１】
0004098557.tif 000022